(57)【要約】【課題】現状よりも容易にＡＰ情報の管理を実現すること。【解決手段】アクセスポイントと無線通信を行う無線接続部を備えた通信端末装置が、アクセスポイント毎に、アクセスポイントに接続するために必要となるＡＰ情報と、アクセスポイントの付近の位置を表す位置情報を対応付けて記憶し、ユーザによって選択されたアクセスポイントに関する位置情報を表示する。【選択図】図１
2013098708.tif 000002
【特許請求の範囲】
【請求項１】
アクセスポイントと無線通信を行う無線接続部と、
アクセスポイント毎に、前記アクセスポイントに接続するために必要となるＡＰ情報と、前記アクセスポイントの付近の位置を表す位置情報を対応付けて記憶する情報保持部と、
ユーザによって選択されたアクセスポイントに関する前記位置情報を表示する表示部と、
を備える通信端末装置。
【請求項２】
前記表示部は、地図の情報に基づいて、地図上に前記アクセスポイントに関する前記位置情報を表示する、請求項１に記載の通信端末装置。
【請求項３】
自装置の現在の位置情報を取得する位置取得部をさらに備え、
前記情報保持部は、前記アクセスポイントに対して前記無線接続部が無線通信を確立した際に前記位置取得部によって取得された前記位置情報を、前記ＡＰ情報と対応付けて記憶する、請求項１又は２に記載の通信端末装置。
【請求項４】
前記情報保持部は、前記アクセスポイントから前記ＡＰ情報とともに通知された位置情報を、前記ＡＰ情報と対応付けて記憶する、請求項１又は２に記載の通信端末装置。
【請求項５】
アクセスポイントと無線通信を行う無線接続部を備えた通信端末装置が、
アクセスポイント毎に、前記アクセスポイントに接続するために必要となるＡＰ情報と、前記アクセスポイントの付近の位置を表す位置情報を対応付けて記憶するステップと、
ユーザによって選択されたアクセスポイントに関する前記位置情報を表示するステップと、
を有する制御方法。
【請求項６】
アクセスポイントと無線通信を行う無線接続部を備えた通信端末装置に対し、
アクセスポイント毎に、前記アクセスポイントに接続するために必要となるＡＰ情報と、前記アクセスポイントの付近の位置を表す位置情報を対応付けて記憶するステップと、
ユーザによって選択されたアクセスポイントに関する前記位置情報を表示するステップと、
を実行させるためのコンピュータプログラム。
【発明の詳細な説明】
【技術分野】
【０００１】
本発明は、場所に応じて異なるアクセスポイントに接続する通信端末装置に関する。
【背景技術】
【０００２】
昨今、無線ＬＡＮ通信（Wireless Local Area Network：ＷＬＡＮ）の普及により、様々な場所にアクセスポイント（ＡＰ）が設けられている。そのため、ユーザは通信端末装置（携帯電話、スマートフォン、モバイルノートパソコン等）を用いてアクセスポイントに接続することによって、様々な場所でインターネットを利用することができる。
【０００３】
ユーザが一度でも接続したことがあるアクセスポイントに関しては、今後そのアクセスポイントへの接続が容易になるように、アクセスポイントの情報（以下、「ＡＰ情報」という。）が通信端末装置に記録される。そのため、様々な場所でアクセスポイントに接続を行っているユーザの通信端末装置には、ＡＰ情報が次々と蓄積される。あまりに多くのＡＰ情報が蓄積されてしまうと、ユーザが接続を希望するアクセスポイントに関するＡＰ情報を探すことが困難となってしまう。
【０００４】
このような問題に関し、ユーザは不要なＡＰ情報を削除することによって解決することができる。例えば、ユーザは通信端末装置を操作し、そのディスプレイにＡＰ情報管理画面を表示させることによって、ＡＰ情報の管理（新規登録、編集、削除など）を行う事ができる。ユーザは、次々と蓄積されるＡＰ情報のうち不要なものを、ＡＰ情報管理画面で操作を行うことによって削除することが可能である。図６は、関連するＡＰ情報管理画面の具体例を示す図である。図６には、八つのＡＰ情報のＩＤが表示されている。図６の場合、ユーザは削除しようとするＡＰ情報のＩＤを選択して削除の指示を入力することによって任意のＡＰ情報を削除する。
【０００５】
なお、アクセスポイントに接続する通信端末装置を含むシステムの一例が特許文献１に記載されている。このシステムでは、携帯端末（通信端末装置）の現在位置情報を、ステルス設定がなされたアクセスポンイント（ステルスアクセスポイント）のＳＳＩＤと対応付けて記憶する。通信端末装置は、記憶している情報に基づいてステルスアクセスポイントの検索を行う。このような検索処理によって、ステルスアクセスポイントを効率良く検索できるようになり、検索時間の短縮及び処理負荷の低減を図っている。
【先行技術文献】
【特許文献】
【０００６】
【特許文献１】特開２００８−６７１８４号公報
【発明の概要】
【発明が解決しようとする課題】
【０００７】
ユーザは、ＡＰ情報を削除する際には、自身にとって本当に不要なＡＰ情報であるのか否か判断する必要がある。例えば、今後も利用する予定があるアクセスポイントのＡＰ情報は、削除せずに保存しておきたいと考えることが一般的である。その理由は以下の通りである。ＡＰ情報の多くは、ユーザがアクセスポイントへの接続時に入力したＩＤやパスワード等の情報を含んでいる。そのため、ＡＰ情報が保存されていない場合には、アクセスポイントに接続する際にＩＤやパスワード等の入力を行う必要が生じ、ユーザにとって手間が増えてしまう。
【０００８】
現状、ユーザがＡＰ情報の要否を判断する際に提供される情報は、ＳＳＩＤ（Service Set Identifier）等のなど限られた情報のみである。しかも、ＳＳＩＤに関してはアクセスポイントの設置者が自由に設定可能な値であるため、他のＡＰ情報と重複する可能性が有る。そのため、ユーザが各ＡＰ情報の要否を容易に判断することができず、ＡＰ情報の管理が困難となっている。
【０００９】
上記事情に鑑み、本発明は、現状よりも容易にＡＰ情報を管理することが可能となる技術を提供することを目的としている。
【課題を解決するための手段】
【００１０】
本発明の一態様は、アクセスポイントと無線通信を行う無線接続部と、アクセスポイント毎に、前記アクセスポイントに接続するために必要となるＡＰ情報と、前記アクセスポイントの付近の位置を表す位置情報を対応付けて記憶する情報保持部と、ユーザによって選択されたアクセスポイントに関する前記位置情報を表示する表示部と、を備える通信端末装置である。
【００１１】
本発明の一態様は、アクセスポイントと無線通信を行う無線接続部を備えた通信端末装置が、アクセスポイント毎に、前記アクセスポイントに接続するために必要となるＡＰ情報と、前記アクセスポイントの付近の位置を表す位置情報を対応付けて記憶するステップと、ユーザによって選択されたアクセスポイントに関する前記位置情報を表示するステップと、を有する制御方法である。
【００１２】
本発明の一態様は、アクセスポイントと無線通信を行う無線接続部を備えた通信端末装置に対し、アクセスポイント毎に、前記アクセスポイントに接続するために必要となるＡＰ情報と、前記アクセスポイントの付近の位置を表す位置情報を対応付けて記憶するステップと、ユーザによって選択されたアクセスポイントに関する前記位置情報を表示するステップと、を実行させるためのコンピュータプログラムである。
【発明の効果】
【００１３】
本発明により、容易にＡＰ情報の要否を判断することが可能となる。
【図面の簡単な説明】
【００１４】
【図１】通信端末装置の部構成を示す概略ブロック図である。
【図２】情報保持部が記憶するデータの概略を示す図である。
【図３】ＡＰ管理画面の具体例を示す図である。
【図４】位置表示部によって表示される地図の具体例を示す図である。
【図５】通信端末装置の動作の流れの例を示すフローチャートである。
【図６】関連するＡＰ情報管理画面の具体例を示す図である。
【発明を実施するための形態】
【００１５】
以下、本発明の一実施形態である通信端末装置について説明する。通信端末装置１０は、例えば携帯電話機、スマートフォン、ＰＤＡ（Personal Digital Assistant）、携帯用ゲーム機、ノート型パーソナルコンピュータ等の携帯可能な情報処理装置である。
【００１６】
図１は、通信端末装置１０の部構成を示す概略ブロック図である。通信端末装置１０は、バスで接続されたＣＰＵ（Central Processing Unit）やメモリや補助記憶装置などを備え、通信プログラムを実行する。通信端末装置１０は、通信プログラムの実行により、ＷＬＡＮ制御部１００、位置取得部１１０、表示部１２０、入力部１３０を備える装置として機能する。なお、通信端末装置１０の各部の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。通信プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。通信プログラムは、電気通信回線を介して伝送されても良い。
【００１７】
ＷＬＡＮ制御部１００は、アクセスポイントとの間でＷＬＡＮ通信を行う。ＷＬＡＮ制御部１００は、スキャン部１０１、任意ＡＰ追加部１０２、ＡＰ情報保持制御部１０３、無線接続部１０４を備える。
【００１８】
スキャン部１０１は、所定のプロトコルに従ってアクセスポイントと通信し、接続可能なアクセスポイントのＡＰ情報を取得する。スキャン部１０１は、取得したＡＰ情報をＡＰ情報保持制御部１０３に渡す。任意ＡＰ追加部１０２は、ユーザが入力部１３０を操作することによって入力されたＡＰ情報を取得する。任意ＡＰ追加部１０２は、入力部１３０から取得したＡＰ情報をＡＰ情報保持制御部１０３に渡す。
【００１９】
ＡＰ情報保持制御部１０３は、スキャン部１０１又は任意ＡＰ追加部１０２によって取得されたＡＰ情報を保持する。具体的には以下の通りである。ＡＰ情報保持制御部１０３は、磁気ハードディスク装置や半導体記憶装置などの記憶装置を用いて構成された情報保持部１０５を備える。ＡＰ情報保持制御部１０３は、スキャン部１０１又は任意ＡＰ追加部１０２からＡＰ情報を取得すると、そのＡＰ情報に関連づけて取得された位置情報とＡＰ情報とを情報保持部１０５に記録する。
【００２０】
無線接続部１０４は、ＡＰ情報保持制御部１０３に保持されているＡＰ情報にしたがってアクセスポイントに接続し無線通信を行う。
位置取得部１１０は、通信端末装置１０の現在位置の位置情報を取得する。位置取得部１１０は、例えば衛星測位システムや携帯電話網の基地局との通信などによって現在位置の位置情報を取得する。衛星測位システムの具体例として、ＧＰＳ（Global Positioning System）やＧａｌｉｌｅｏ等がある。位置取得部１１０は、取得した位置情報をＡＰ情報保持制御部１０３に出力する。
【００２１】
表示部１２０は、ＣＲＴ（Cathode Ray Tube）ディスプレイ、液晶ディスプレイ、有機ＥＬ（Electro Luminescence）ディスプレイ等の画像表示装置である。表示部１２０は、ＡＰ情報管理画面や地図などを表示する。表示部１２０は、画像表示装置を通信端末装置１０に接続するためのインタフェースであっても良い。この場合、表示部１２０は、ＡＰ情報管理画面や地図などを表示するための映像信号を生成し、自身に接続されている画像表示装置に映像信号を出力する。
【００２２】
表示部１２０は、位置表示部１２１及び管理画面表示部１２２を備える。位置表示部１２１は、入力部１３０を介してユーザから位置表示指示が入力された場合に、地図を表示することによって各アクセスポイントの位置を示す。例えば、位置表示部１２１は、地図上にアクセスポイントの図形を表示することによって、各アクセスポイントの位置を示す。管理画面表示部１２２は、入力部１３０を介してユーザからＡＰ管理画面の表示指示が入力された場合に、ＡＰ管理画面を表示する。
【００２３】
入力部１３０は、キーボード、ポインティングデバイス（マウス、タブレット等）、ボタン、タッチパネル等の既存の入力装置を用いて構成される。入力部１３０は、ユーザの指示を通信端末装置１０に入力する際にユーザによって操作される。入力部１３０は、入力装置を通信端末装置１０に接続するためのインタフェースであっても良い。この場合、入力部１３０は、入力装置においてユーザの入力に応じ生成された入力信号を通信端末装置１０に入力する。
【００２４】
図２は、情報保持部１０５が記憶するデータの概略を示す図である。情報保持部１０５は、例えば、ＡＰ情報毎にＳＳＩＤ、Ｓｅｃｕｒｉｔｙ、Ｋｅｙ、Ｌａｔ、Ｌｏｎ、Ｔｉｍｅの各項目の値を保持する。ＳＳＩＤは、アクセスポイントに設定されているＳＳＩＤの値を示す。Ｓｅｃｕｒｉｔｙは、アクセスポイントとの間の無線通信で用いられる暗号化方式を示す。Ｋｅｙは、アクセスポイントとの間の暗号化無線通信で用いられる鍵情報の値を示す。ＳＳＩＤ、Ｓｅｃｕｒｉｔｙ、Ｋｅｙの各値は、スキャン部１０１又は任意ＡＰ追加部１０２によって取得されるＡＰ情報である。
【００２５】
情報保持部１０５は、ＡＰ情報毎に位置情報及び日時を保持する。位置情報は、例えば緯度及び経度によって表されても良い。以下、位置情報及び日時について説明する。
Ｌａｔは、Ｌｏｎ、Ｔｉｍｅは、それぞれ緯度、経度、時間を表す。Ｌａｔは、例えばアクセスポイントとの間で無線通信が確立された際に位置取得部１１０によって取得された位置情報の緯度を示す。Ｌｏｎは、例えばアクセスポイントとの間で無線通信が確立された際に位置取得部１１０によって取得された位置情報の経度を示す。Ｌａｔ及びＬｏｎは、例えば「±ｄｄ：ｍｍ，ｓｓ：ｓｓｓ」のようにＤＭＳ表記によって座標を表現する。この場合、Ｌａｔにおける「＋」は北緯、「−」は南緯を示し、Ｌｏｎにおける「＋」は東経、「−」は西経を表す。
【００２６】
Ｔｉｍｅは、例えばアクセスポイントとの間で無線通信が確立された際の日時を示す。Ｔｉｍｅは、例えば「ｙｙｙｙ：ｍｍ：ｄｄ−ｈｈ：ｍｍ：ｓｓ（年（西暦）：月：日−時：分：秒）」のように表現される。
なお、位置情報の表現方法及び日時の表現方法は、それぞれ必要な情報を表現可能であれば上述した方法に限定される必要は無い。また、各ＡＰ情報の表し方や、ＡＰ情報と位置情報と日時との対応付けなどについても、適宜変更されても良い。
【００２７】
図３は、ＡＰ管理画面の具体例を示す図である。ＡＰ管理画面には、情報保持部１０５に保持されている各ＡＰ情報の一覧が表示される。ＡＰ情報の一覧では、例えばシリアル番号（“０１”，“０２”等）とＳＳＩＤとが表示される。ユーザが入力部１３０を操作して一つのＡＰ情報を選択しサブメニューの表示指示を入力すると、管理画面表示部１２２はサブメニューの項目を表示する。サブメニューの項目として、例えば接続、切断、削除、接続場所などがある。接続が選択されると、無線接続部１０４は、選択されているＡＰ情報によって示されるアクセスポイントへの接続を開始する。切断が選択されると、無線接続部１０４は、選択されているＡＰ情報によって示されるアクセスポイントとの無線接続を切断する。削除が選択されると、ＡＰ情報保持制御部１０３は、選択されているＡＰ情報を情報保持部１０５から削除する。接続場所が選択されると、位置表示部１２１は、選択されているＡＰ情報に対応する位置情報を情報保持部１０５から読み出し、位置情報を表示する。例えば、位置表示部１２１は、最初は位置情報（例えば緯度及び経度）を文字列によって表示する。その後、地図表示の指示が入力されると、地図上にその位置を表示する。
【００２８】
図４は、位置表示部１２１によって表示される地図の具体例を示す図である。位置表示部１２１は、ネットワークを介して無線接続部１０４によって取得される地図情報に基づき、選択されているＡＰ情報の位置情報が示す地点の周囲の地図を表示する。そして、その地図上に、ＡＰ情報の位置情報が示す地点を、画像や文字などを用いて表示する。図４の場合、“２０１０／０７／１４  １４：５３”という文字列を含む吹き出しの画像の吹き出し元が、ＡＰ情報の位置情報が示す地点を表している。また、吹き出しに含まれる上記文字列は、ＡＰ情報と対応付けて記録されている時刻を示している。
【００２９】
図５は、通信端末装置１０の動作の流れの例を示すフローチャートである。ユーザが入力部１３０を操作してＡＰ管理画面の表示指示を入力すると、管理画面表示部１２２は情報保持部１０５からＡＰ情報を読み出し、ＡＰ管理画面としてＡＰ情報の一覧を表示する（Ｓ００１）。ユーザは、入力部１３０を操作することによって任意のＡＰ情報を選択する（Ｓ００２）。ユーザが入力部１３０を操作してサブメニューの表示指示を入力すると、管理画面表示部１２２はサブメニューの項目を表示する。ユーザが入力部１３０を操作してサブメニューの項目を選択すると、通信端末装置１０は選択された項目に応じて処理を行う。
【００３０】
サブメニューの項目のうち、接続場所の項目が選択されると（Ｓ００４−ＹＥＳ）、位置表示部１２１は、情報保持部１０５を参照し、選択されているＡＰ情報に対する接続履歴の有無を確認する（Ｓ０１１）。接続履歴とは、位置情報を表す情報である。接続履歴が無い場合、すなわちＬａｔ及びＬｏｎの項目に相当する値が存在しない場合（Ｓ０１１−なし）、位置表示部１２１はエラー表示する（Ｓ０１２）。一方、接続履歴が有る場合、すなわちＬａｔ及びＬｏｎの項目に相当する値が存在する場合、位置表示部１２１は位置情報をテキストで表示する（Ｓ０１３）。
【００３１】
この状態でも、ユーザは入力部１３０を操作することによって、選択されているＡＰ情報についてサブメニューに応じた処理を実行できる（Ｓ０１４）。また、地図表示の指示が入力されると（Ｓ０１５−ＹＥＳ）、位置表示部１２１は、無線接続部１０４を介して地図サーバから地図情報を取得する（Ｓ０１６）。そして、位置表示部１２１は、取得した地図上に位置情報を表した画面を表示する（Ｓ０２１）。
【００３２】
従来は、各ＡＰ情報についていつ、どこで接続したアクセスポイントの情報であるかについてユーザが認識することは困難であった。一方、本発明の通信端末装置１０によれば、ユーザは過去に接続したことがあるアクセスポイントの位置を目視で容易に確認することが可能となる。したがって、ＡＰ情報の管理が容易となる。例えば、ユーザは不要なＡＰ情報を情報保持部１０５から削除しようとした場合に、その位置情報に基づいて各ＡＰ情報の要否を容易に判断することが可能となる。
【００３３】
また、本発明の通信端末装置１０では、過去において無線通信が確立されたアクセスポイントについて位置情報を保存する。そのため、位置情報がない場合には、過去に接続したことが無いアクセスポイントであると判断することができる。したがって、そのＡＰ情報を保存しておくか否かの判断が容易となる。
【００３４】
また、現在の位置の近隣に存在するアクセスポイントの探索が容易となる。すなわち、ユーザの現在位置と位置情報との比較によって、現在位置に近接し且つ利用可能なアクセスポイント（過去に接続したことがあるアクセスポイント）を、容易に検索することが可能となる。したがって、ユーザは、例えば地図の表示を閲覧しながら所望のアクセスポイントの近くに移動し、無線接続を確立させて無線通信を行うことが可能となる。
【００３５】
また現在位置ではなく、特定位置（例えば外出予定の位置）と位置情報とを比較することによって、特定位置において利用することが可能なアクセスポイントを容易に探索することも可能となる。
【００３６】
＜変形例＞
通信端末装置１０の各部部のうち一部は通信端末装置１０から着脱可能に構成されても良い。例えば、ＷＬＡＮ部１００は、通信端末装置１０に対して着脱可能に構成されても良い。例えば、ＷＬＡＮ部１００の無線接続部１０４は、通信端末装置１０に対して着脱可能に構成されても良い。また、位置取得部１１０は、通信端末装置１０に対して着脱可能に構成されても良い。
【００３７】
位置表示部１２１は、位置取得部１１０によって取得された現在の通信端末装置１０の位置をさらに地図上に表示しても良い。このように表示されることによって、ユーザの現在の位置と各アクセスポイントとの位置関係をユーザが容易に知得することが可能となる。
【００３８】
図５のフローチャートにおいて、Ｓ０１４、Ｓ０１５のステップを省略するためにＳ０１３の代わりにＳ０１６及びＳ０２１を実行しても良い。
ＡＰ情報保持制御部１０３が保持する位置情報は、通信端末装置１０の位置取得部１１０において取得した情報ではなく、アクセスポイントから通知された位置情報であっても良い。この場合、アクセスポイントは、予め自装置の位置情報を取得しており、ＡＰ情報とともに位置情報も発信する。この場合、スキャン部１０１は、アクセスポイントからＡＰ情報と位置情報とを受信し、ＡＰ情報保持制御部１０３に渡す。ＡＰ情報保持制御部１０３は、スキャン部１０１によって取得されたＡＰ情報と位置情報とを対応付けて情報保持部１０５に記録する。このように構成された場合、ユーザは初めて訪れる場所であっても容易に利用可能なアクセスポイントを発見できる。また、情報保持部１０５に記録される位置情報がアクセスポイントから通知される位置情報であるため、より精度の高い位置情報を保持しておくことが可能となる。また、このように構成された場合、通信端末装置１０は位置取得部１１０を備えないように構成されても良い。
【００３９】
ＡＰ情報と位置情報とを対応付けたデータが、情報保持部１０５に予め記録されていても良い。例えば通信端末装置１０の販売時に既にＡＰ情報と位置情報とを対応付けたデータを情報保持部１０５に記録しておくことにより、通信端末装置１０の販売者が提供しているアクセスポイントの情報をユーザに容易に通知することが可能となる。
【００４０】
ＡＰ情報と位置情報とを対応付けたデータを、所定のサーバからネットワークを介して通信端末装置１０に通知しても良い。この場合、ＡＰ情報保持制御部１０３は、受信したデータに基づいて、一つ又は複数のＡＰ情報と位置情報との組合せを情報保持部１０５に記録する。ネットワークではなく記録媒体を介して上記データが通知されても良い。このように構成されることにより、ユーザに対してアクセスポイントの情報を容易に提供することが可能となる。
【００４１】
以上、この発明の実施形態について図面を参照して詳述してきたが、具体的な構成はこの実施形態に限られるものではなく、この発明の要旨を逸脱しない範囲の設計等も含まれる。
【符号の説明】
【００４２】
１０…通信端末装置，  １００…ＷＬＡＮ制御部，  １０１…スキャン部，  １０２…任意ＡＰ追加部，  １０３…ＡＰ情報保持制御部，  １０４…無線接続部，  １０５…情報保持部，  １１０…位置取得部，  １２０…表示部，  １２１…位置表示部，  １２２…管理画面表示部，  １３０…入力部
【図１】
2013098708.tif 000003
【図２】
2013098708.tif 000004
【図３】
2013098708.tif 000005
【図４】
2013098708.tif 000006
【図５】
2013098708.tif 000007
【図６】
2013098708.tif 000008